(57)【要約】  【課題】雨水中の落葉、ゴミ等が蓄積せず、雨水を確実に集水できる雨水取出部の構造の技術を提供することを目的とする。  【解決手段】雨水取出部２は本体部３と突出部４とで形成され、竪樋１の下端部１ｂに上方に突設する第一円筒スリーブ７が形成される。ここで、第一円筒スリーブ７の外径Ｓは竪樋１の内径Ｓ１より小さく、第一円筒スリーブ７と竪樋１の内面１ｃとの間に第二円筒スリーブ８が挿入される。第二円筒スリーブ８の上端面８ａと竪樋１の下端部１ｂとは面一に形成される。本体部３内に備える落葉詰まり防止具１０は円形筒状体１１に上筒部１２が連結され、円形筒状体１１に開口部Ｈが網目状に形成される。網目を通って第一円筒スリーブ７の外側に流下する雨水は、第二円筒スリーブ８の上端面８ａと竪樋１の下端部１ｂの全周領域に落下して突出部４に取出され雨水取出管５から流出する。【選択図】  図２
2010126906.tif 000002
【特許請求の範囲】
【請求項１】
竪樋に装着される雨水取出部の構造であって、
前記雨水取出部は竪樋の一部を切欠きその上端部と下端部を覆う本体部と、この本体部と一体的に竪樋から突出する突出部とから成り、前記本体部に落葉詰まり防止具を備え、前記突出部に雨水取出管を備える一方でフィルターを内装し、
前記下端部から上方に突設する第一筒状スリーブを設け、この第一筒状スリーブは前記竪樋の内面との間に第二筒状スリーブを挟む一方で第二筒状スリーブの上端面が前記竪樋の下端部と面一の状態に形成し、前記落葉詰まり防止具は連続的に縮径する筒状体の下部の小径部が前記第一筒状スリーブに挿入され上部の大径部に備える前記竪樋と同じ内断面形状の上筒部が前記上端部に当接して装着され、
前記筒状体に複数の開口部が形成されることを特徴とする雨水取出部の構造。
【請求項２】
前記筒状体の開口部は網目状に形成されることを特徴とする請求項１に記載の雨水取出部の構造。
【請求項３】
前記筒状体の開口部は放射線状に形成されることを特徴とする請求項１に記載の雨水取出部の構造。
【請求項４】
前記上筒部の下端部は内面から外面に亘って下降する弧状に形成されることを特徴とする請求項１乃至請求項３のいずれか一項に記載の雨水取出部の構造。
【発明の詳細な説明】
【技術分野】
【０００１】
本発明は竪樋の中間部から雨水を取出す雨水取出部の構造に関し、詳しくは、雨水中の落葉等で目詰まりしない雨水取出部の構造の技術に関する。
【背景技術】
【０００２】
植物の潅水等に雨水を利用するための雨水取出部の構造に関する従来技術として特許文献１に掲載の内容が知られている。図６に示すように、建物の屋根１１１に取付けられた軒樋１１２に竪樋１１４が連結され、竪樋１１４の中間適所に雨水取出部１０２が設けられる。雨水取出部１０２の受水面１２１に臨んでいる受水口１２２と、雨水貯水槽１０３内の接続管１４１とを給水管１４０で連通する。接続管１４１は雨水貯水槽１０３内部で上下に貫通しており、その上端は通気孔１４２として貯水面１３１より突出し、下端は雨水貯水槽１０３の底板１３２に向かって開口する給水口１４３である。
【０００３】
給水口１４３よりも高い位置に取水口１３３を設け、その先端に止水栓１３４を装着する。また、雨水貯水槽１０３の底板１３２と取水口１３３の高さ位置との間を沈殿部１０５とし、給水口１４３から吐出されるホコリ、汚泥等の沈殿物が底板１３２上面に堆積される。一方、雨水貯水槽１０３の上部は、貯水面１３１を形成する位置に雨水の排水口１４４を開口させ、排水口１４４を介して雨水貯水槽１０３の外部へ排水管１４５を接続し、その先端を貯水の余水が流下するよう竪樋１１４の下方位置に連通する。
【特許文献１】登録実用新案第３０９８２７１号公報
【発明の開示】
【発明が解決しようとする課題】
【０００４】
ところが、雨水取出部１０２において、雨水と共に流れる落葉、泥、ゴミ等によって受水口１２２が塞がるという問題があった。この問題を解決する手段として、図７に示すように、受水面１２１を下方の竪樋１１４に向けて斜めに傾斜させ、その傾斜面の下流側に給水管１４０の受水口１２２を設け、傾斜する受水面１２１にフイルタ−１２５を設ける方法がある。
【０００５】
しかし、受水面１２１に傾斜を設けても、雨水中の落葉、ゴミ等の蓄積を完全に防止することは困難で、時々フイルタ−１２５の掃除や取替えが必要となるため、作業に手間取り効率が悪く、安定して必要量の雨水を雨水貯水槽１０３に集水することが困難であった。
【０００６】
そこで、本発明はかかる従来技術の問題に鑑みなされたものであって、雨水中の落葉、ゴミ等が蓄積せず、雨水を確実に竪樋から集水できる雨水取出部の構造の技術を提供することを目的とする。
【課題を解決するための手段】
【０００７】
請求項１の発明は、竪樋に装着される雨水取出部の構造であって、前記雨水取出部は竪樋の一部を切欠きその上端部と下端部を覆う本体部と、この本体部と一体的に竪樋から突出する突出部とから成り、前記本体部に落葉詰まり防止具を備え、前記突出部に雨水取出管を備える一方でフィルターを内装し、前記下端部から上方に突設する第一筒状スリーブを設け、この第一筒状スリーブは前記竪樋の内面との間に第二筒状スリーブを挟む一方で第二筒状スリーブの上端面が前記竪樋の下端部と面一の状態に形成し、前記落葉詰まり防止具は連続的に縮径する筒状体の下部の小径部が前記第一筒状スリーブに挿入され上部の大径部に備える前記竪樋と同じ内断面形状の上筒部が前記上端部に当接して装着され、前記筒状体に複数の開口部が形成されることを特徴としている。
【０００８】
従って、請求項１記載の発明は、前記下端部から上方に突設する第一筒状スリーブと前記竪樋の内面との間に前記下端部と面一に第二筒状スリーブを挟んで形成することによって、前記竪樋の内面を伝って下降する雨水が前記筒状体に形成された複数の開口部を通過して第二筒状スリーブに落下して前記突出部に流すことができる。
【０００９】
請求項２の発明は、請求項１に記載の雨水取出部の構造であって、前記筒状体の開口部は網目状に形成されることを特徴としているので、雨水は網目状の開口部を容易に通過することができる。
【００１０】
請求項３の発明は、請求項１に記載の雨水取出部の構造であって、前記筒状体の開口部は放射線状に形成されることを特徴としているので、雨水は放射線状の開口部をさらに容易に通過することができる。
【００１１】
請求項４の発明は、請求項１乃至請求項３のいずれか一項に記載の雨水取出部の構造であって、前記上筒部の下端部は内面から外面に亘って下降する弧状に形成されることを特徴としている。このため、前記竪樋の内面を伝って下降する雨水が前記弧状を伝って容易に下降して第二筒状スリーブに落下することができる。
【発明の効果】
【００１２】
請求項１の発明によれば、前記下端部から上方に突設する第一筒状スリーブを前記竪樋の内面との間に前記下端部と面一に第二筒状スリーブを挟んで形成することによって、前記竪樋の内面を伝って下降する雨水が前記筒状体に形成された複数の開口部を通過して第二筒状スリーブに確実に落下し、雨水は前記突出部に流れるので、連続的に雨水取出管から雨水を取出すことができる。そして、落葉等は複数の開口部を通過できないので筒状体の下部の小径部から前記第一筒状スリーブを経て下方に流下するので、前記突出部に落葉等が侵入しないので詰まることなくメンテナンスフリーで雨水取出管から雨水を取出すことができる。
【００１３】
請求項２の発明によれば、請求項１の発明の効果に加えて、前記筒状体の開口部は網目状に形成されるので雨水は網目状の開口部を容易且つ確実に通過することができるので連続的に安定して雨水取出管から雨水を取出すことができる。
【００１４】
請求項３の発明によれば、請求項１の発明の効果に加えて、前記筒状体の開口部は放射線状に形成されるので雨水は竪樋に沿って平行に形成された開口部を、さらに容易且つ確実に通過することができるので連続的に安定して雨水取出管から雨水を取出すことができる。
【００１５】
請求項４の発明によれば、請求項１乃至請求項３のいずれか一項の発明の効果に加えて、前記竪樋の内面を伝って下降する雨水が前記上筒部の下端部において内面から外面に亘って弧状を伝って容易に前記突出部側に下降するので、雨水がさらに確実に前記突出部に流れ雨水取出管から雨水を取出すことができる。
【発明を実施するための最良の形態】
【００１６】
＜本発明の第１の実施形態＞
以下に、本発明の第１の実施形態を図１〜図３に基づいて説明する。
＜雨水取出部の構造の構成＞
【００１７】
図１、図２、図３に示すように、本発明の竪樋１に装着される雨水取出部２は本体部３と突出部４で形成される。いま、図示しない建物の屋根から円筒状の竪樋１が垂下され、この竪樋１の中間部で竪樋１の一部を切欠き、この切欠かれた後の竪樋１の上端部１ａと下端部１ｂを覆うように本体部３を取付け、本体部３に連結して突出部４が竪樋１から突出する。
【００１８】
より詳しくは、雨水取出部２の本体部３の外廓は、竪樋１の切欠かれたθ＝略１８０度の半割り領域を竪樋１の上端部１ａと下端部１ｂに沿って覆う形状である。突出部４の外郭は、竪樋１の残りの半割り領域を包含するとともに竪樋１から突出し、垂直状の側面４ａが頂面４ｂと底面４ｃで覆われ、平面視で側面４ａが略放物線を描く様に形成される。そして、頂面４ｂに水切り用の傾斜が竪樋１から離れる方向に下り勾配で設けられ、水平状の底面４ｃに雨水取出管５を備え、突出部４内にフィルター６が内装される。
【００１９】
このように、雨水取出部２の外廓形状としては、本体部３の外廓は竪樋１の半割り領域だけを覆っているが、本体部３は実質的に竪樋１の切欠かれた領域を囲む円筒領域である。
【００２０】
竪樋１の下端部１ｂには下端部１ｂから上方に突設する第一円筒スリーブ７が形成される。第一円筒スリーブ７の外径Ｓは竪樋１の内径Ｓ１より小さく、第一円筒スリーブ７と竪樋１の内面１ｃとの間の環状隙間Ｇに第二円筒スリーブ８が挿入される。第二円筒スリーブ８の上端面８ａと竪樋１の下端部１ｂとは面一に形成される。
【００２１】
そして、本体部３内に落葉詰まり防止具１０を備える。落葉詰まり防止具１０は、連続的に縮径する側面視台形状の円形筒状体１１と、その円形筒状体１１の上部の大径部１１ａに竪樋１の内径Ｓ１と同じ大きさの内径Ｓ１で上筒部１２が連結された形状である。円形筒状体１１には複数の開口部Ｈが網目状に形成される。落葉詰まり防止具１０は下部の小径部１１ｂを第一円筒スリーブ７に若干挿入した状態で、上筒部１２が上端部１ａと内面面一に当接して装着される。
【００２２】
雨水取出部２の本体部３と突出部４は図示しない固定具で開閉自在に連結され、落葉詰まり防止具１０を装着した後、本体部３と突出部４は固定具で一体的に連結される。落葉詰まり防止具１０の装着方法は、まず、第一円筒スリーブ７を下げた状態で落葉詰まり防止具１０を所定位置に挿入したのち、第一円筒スリーブ７を持上げて第二円筒スリーブ８に固着することで装着できる。そして、突出部４を開けることでフィルター６は容易に保守点検、清掃、交換ができる。落葉詰まり防止具１０はメンテナンスフリーで必要時に応じて突出部４を開けてノズル等を用いて水洗い清掃することができる。
【００２３】
＜雨水取出部の構造の作用＞
図２に示すように、通常、竪樋１内を流れる雨水Ｐの殆どは自由落下ではなく竪樋１の内面１ｃに沿って流れる。ここで、竪樋１の内径Ｓ１と落葉詰まり防止具１０の上筒部１２の内径Ｓ１が同じなので、雨水Ｐは竪樋１の上端部１ａにおいて落葉詰まり防止具１０の上筒部１２の内面に沿ってスムーズに流下する。そして、雨水Ｐは連続的に縮径する円形筒状体１１に沿って流れる途中で、円形筒状体１１に形成される複数の網目状の開口部Ｈを抜けて雨水Ｐは落下する。
【００２４】
第一円筒スリーブ７と竪樋１の内面１ｃとの間に第二円筒スリーブ８が挿入されているので、竪樋１の内面１ｃの全周に張出したこの第二円筒スリーブ８の上端面８ａと竪樋１の下端部１ｂの全周領域に落下する雨水Ｐを受けることができる。そして、雨水Ｐは第一円筒スリーブ７によって竪樋１に戻ることなく竪樋１の下端部１ｂを経て突出部４に流入し、雨水Ｐはフィルター６を通って雨水取出管５から取出され図示しない貯水槽に導かれる。なお、豪雨時には過剰の雨水は第一円筒スリーブ７の内部を流れて竪樋１に流出する。
【００２５】
このように、落葉詰まり防止具１０において、雨水Ｐは網目状の開口部Ｈから自然流下するが、落葉やゴミ等は網目状の開口部Ｈを通過できないので、突出部４に流入することなく円形筒状体１１に沿って落下して下方の竪樋１に流れる。なお、竪樋１の図示しない最上端には落葉やゴミ等の流下防止用ドレンが設けられるで、大きな落葉やゴミ等は予め竪樋１に流れないので、落葉詰まり防止具１０より下方に流れる落葉やゴミ等は詰まることなく排出される。このように、落葉詰まり防止具１０は取水機能が低下せずメンテナンスフリーである。
【００２６】
＜本発明の第２の実施形態＞
以下に、本発明の第２の実施形態を説明するが、図３と同構成部分については、図面に同符号を付して重複した説明を省略する。
【００２７】
図４に示すように、円形筒状体１１の開口部Ｈ１は円形筒状体１１に沿って放射線状に形成されるので、雨水はさらに容易且つ確実に開口部Ｈ１を通過することができるので連続的に安定して雨水を取出すことができる。
【００２８】
＜本発明の第３の実施形態＞
以下に、本発明の第３の実施形態を説明するが、図３と同構成部分については、図面に同符号を付して重複した説明を省略する。
【００２９】
図５に示すように、上筒部１２の下端部が内面１２ａから外面１２ｂに亘って弧状１２ｃに形成されるので、竪樋１の内面を伝って下降する雨水Ｐが弧状１２ｃを伝って容易且つ確実に突出部４側に流れるのでさらに確実に取水量が確保できる。
【００３０】
以上、本発明の実施例を図面に基づいて説明したが、具体的な構成はこの実施例に限られるものではなく本発明の要旨を逸脱しない範囲の設計変更等があっても本発明に含まれる。例えば、竪樋１の形状は矩形筒状でも構わず、その矩形断面形状に対応して雨水取出部２の構造が決定される。落葉詰まり防止具１０の下部の小径部１１ｂを第一円筒スリーブ７の直径と同じにして第一円筒スリーブ７の上端部に当接する状態でも構わない。落葉詰まり防止具１０は上筒部１２を省いて、円形筒状体１１の上部の大径部１１ａを直接竪樋１に当接してもよい。上筒部１２の下端部に内面１２ａから外面１２ｂに亘って形成される弧状１２ｃは放射線状の開口部Ｈ１を備える円形筒状体１１に適用しても構わない。落葉詰まり防止具を着脱式に構成しても構わない。
【図面の簡単な説明】
【００３１】
【図１】本発明の第１の実施形態における、竪樋１の中間部に本体部３と突出部４から成る雨水取出部２が形成された状態を示す斜視図である。
【図２】本発明の第１の実施形態における、図１のＡ−Ａ断面図である。
【図３】本発明の第１の実施形態における、落葉詰まり防止具１０の斜視図である。
【図４】本発明の第２の実施形態における、落葉詰まり防止具１０の斜視図である。
【図５】本発明の第３の実施形態における、落葉詰まり防止具１０の上筒部１２の下端部が内面１２ａから外面１２ｂに亘って弧状１２ｃに形成される状態を示す図である。
【図６】従来例における、竪樋１１４の中間部に雨水取出部１０２を挿入し、受水口１２２から雨水を雨水貯水槽１０３まで取水する状態を示す側面断面図である。
【図７】従来例における、受水面１２１を傾斜してフイルタ−１２５を設けた状態を示す断面図である。
【符号の説明】
【００３２】
１  竪樋
１ｂ  下端部
１ｃ  内面
２  雨水取出部
３  本体部
４  突出部
５  雨水取出管
７  第一円筒スリーブ
８  第二円筒スリーブ
８ａ  上端面
１０  落葉詰まり防止具
１１  円形筒状体
１２  上筒部
Ｓ  外径
Ｓ１  内径
Ｈ  開口部
【図１】
2010126906.tif 000003
【図２】
2010126906.tif 000004
【図３】
2010126906.tif 000005
【図４】
2010126906.tif 000006
【図５】
2010126906.tif 000007
【図６】
2010126906.tif 000008
【図７】
2010126906.tif 000009